(57)【要約】【課題】生ゴミの腐敗を防止し、また効率よく処理すること。【解決手段】脱水前生ゴミ破砕装置（３）を通過した生ゴミを計量ホッパー（４）で計量後、脱水剤添加混合装置（５）へ投入し、そこに脱水剤ホッパー（６）から脱水剤送給装置（６ａ）で適量の脱水剤を供給して添加混合してから搬送装置（７）で脱水後生ゴミ破砕装置（８）へ送る。脱水後生ゴミ破砕装置で破砕された脱水生ゴミはスクリーン（８ｄ）を通って脱水生ゴミホッパー（９）へ投入される。【選択図】      図１
2004267901.tif 000002
【特許請求の範囲】
【請求項１】
生ゴミに脱水剤を添加して脱水する脱水剤添加ステップと、脱水後の生ゴミを破砕する脱水後生ゴミ破砕ステップとを含む、ことを特徴とする生ゴミの処理方法。
【請求項２】
脱水剤を添加する前に生ゴミを破砕する脱水前生ゴミ破砕ステップと、脱水前生ゴミ破砕ステップで破砕した生ゴミの重量を計量する計量ステップと、を含み、脱水剤添加ステップでは、計量された生ゴミの重量に基づいて脱水剤を添加する、ことを特徴とする請求項１に記載の生ゴミの処理方法。
【請求項３】
脱水剤が化学的に生ゴミの腐敗を防止する化学的腐敗防止剤を含む、ことを特徴とする請求項１に記載の生ゴミの処理方法。
【請求項４】
移動手段で生ゴミを収集するために移動しながら実行する、ことを特徴とする請求項１に記載の生ゴミの処理方法。
【請求項５】
生ゴミに脱水剤を添加して脱水する脱水剤添加手段と、脱水後の生ゴミを破砕する脱水後生ゴミ破砕手段とを具備する、ことを特徴とする生ゴミの処理装置。
【請求項６】
さらに、脱水剤を添加する前の生ゴミを破砕する脱水前生ゴミ破砕手段と、脱水前生ゴミ破砕手段で破砕した生ゴミの重量を計量する計量手段と、を含み、脱水剤添加手段は計量手段で計量された生ゴミの重量に基づいて脱水剤を添加する、ことを特徴とする請求項５に記載の生ゴミの処理装置。
【請求項７】
脱水後生ゴミ破砕手段は、横方向に延伸し、横方向の一方の端部に投入口が形成されている円筒状のケーシング内で回転軸に取り付けた羽根を回転せしめて成り、羽根は、投入口に近い側に配設される第１の羽根と、投入口に遠い側に配設される第２の羽根とを含み、第１の羽根は脱水後の生ゴミを反投入口方向へ移動させるよう角度をつけた板状羽根であって、第２の羽根は脱水後の生ゴミを切断する刃を備えるカッター羽根と脱水後の生ゴミを叩きつぶすハンマー羽根を含む、ことを特徴とする請求項５に記載の生ゴミの処理装置。
【請求項８】
移動手段に搭載され移動可能である、ことを特徴とする請求項５に記載の生ゴミ処理装置。
【発明の詳細な説明】
【０００１】
【発明の属する技術分野】
本発明は、生ゴミの処理方法、および、処理装置に関する。
【０００２】
【従来の技術】
現在、生ゴミは可燃ゴミを共に押圧減容して生ゴミ収集車によって収集される事が多い。この生ゴミは含水率が高く、一般的には含水率は７０〜９０％である。このように含水率が高いと、腐敗しやすく、腐敗すると病原菌が発生し、また、異臭も発生し、衛生上問題となっている。
【０００３】
そして、生ゴミは含水率が高いとは言え、野菜のような含水率が非常に高くやわらかいものもあれば、骨のように含水率が低くてかたいもの含んでいる。
ところで、生ゴミは収集時に生ゴミ収集車の後部のリボンスクリュー等の破砕装置で押しつぶして減容して、収容部に押し込んでいるが、上述のように、含水率がばらついていると良好に粉砕できないことが多く、その結果、減容率が低下して収集効率が悪化する。
【０００４】
【発明が解決しようとする課題】
本発明は、上記問題に鑑み、生ゴミの腐敗を防止するとともに、収集効率を向上できる生ゴミ処理方法、および、処理装置を提供することを目的とする。
【０００５】
【課題を解決するための手段】
請求項１の発明によれば、生ゴミに脱水剤を添加して脱水する脱水剤添加ステップと、脱水後の生ゴミを破砕する脱水後生ゴミ破砕ステップとを含む、ことを特徴とする生ゴミの処理方法が提供される。
このような生ゴミの処理方法によれば、生ゴミは脱水剤が添加されて脱水され、脱水された後に破砕される。
なお、脱水とは含水率を低下せしめることを意味しているが、必ずしもゼロにするということではない。
【０００６】
請求項２の発明によれば、請求項１の発明において、さらに、脱水剤を加える前の生ゴミを破砕する脱水前生ゴミ破砕ステップと、脱水前生ゴミ破砕ステップで破砕した生ゴミの重量を計量する計量ステップと、を含み、脱水剤添加ステップでは、計量された生ゴミの重量に基づいて脱水剤を添加する、ことを特徴とする生ゴミの処理方法が提供される。
このような生ゴミの処理方法によれば、適切な量の脱水剤が添加される。
【０００７】
請求項３の発明によれば、請求項１の発明において、脱水剤が化学的に生ゴミの腐敗を防止する化学的腐敗防止剤を含む、ことを特徴とする生ゴミの処理方法が提供される。
このような生ゴミの処理方法によれば生ゴミは、脱水による腐敗防止に加えて化学的腐敗防止剤によっても腐敗が防止される。
【０００８】
請求項４の発明によれば、請求項１の発明において、移動手段で生ゴミを収集するために移動しながら実行する、ことを特徴とする生ゴミの処理方法が提供される。
このような生ゴミの処理方法によれば、移動しながら生ゴミの脱水、破砕がおこなわれる。
【０００９】
請求項５の発明によれば、生ゴミに脱水剤を添加して脱水する脱水剤添加手段と、脱水後の生ゴミを破砕する脱水後生ゴミ破砕手段とを具備する、ことを特徴とする生ゴミの処理装置が提供される。
このような生ゴミの処理装置によれば、生ゴミが脱水され、その後に破砕される。
【００１０】
請求項６の発明によれば、請求項５の発明において、さらに、脱水剤を添加する前の生ゴミを破砕する脱水前生ゴミ破砕手段と、脱水前生ゴミ破砕手段で破砕した生ゴミの重量を計量する計量手段と、を含み、脱水剤添加手段は計量手段で計量された生ゴミの重量に基づいて脱水剤を添加する、ことを特徴とする生ゴミの処理装置が提供される。
このような生ゴミの処理装置によれば、適量の脱水剤が添加される。
【００１１】
請求項７の発明によれば、請求項５の発明において、脱水後生ゴミ破砕手段は、横方向に延伸し、横方向の一方の端部に投入口が形成されている円筒状のケーシング内で回転軸に取り付けた羽根を回転せしめて成り、羽根は、投入口に近い側に配設される第１の羽根と、投入口に遠い側に配設される第２の羽根とを含み、第１の羽根は脱水後の生ゴミを反投入口方向へ移動させるよう角度をつけた板状羽根であって、第２の羽根は脱水後の生ゴミを切断する刃を備えるカッター羽根と脱水後の生ゴミを叩きつぶすハンマー羽根を含む、ことを特徴とする生ゴミの処理装置が提供される。
【００１２】
請求項８の発明によれば、請求項５の発明において、移動手段に搭載され移動可能である、ことを特徴とする生ゴミの処理装置が提供される。
このような生ゴミの処理装置によれば、移動しながら脱水と破砕が実行される。
【００１３】
【発明の実施の形態】
以下、添付の図面を参照して本発明の実施の形態を説明する。
参照符号１で示されているのは本発明の生ゴミ処理装置を備えた生ゴミ収集車である。生ゴミ収集車１の後端には、作業員が回収した袋に入った生ゴミを脱水前生ゴミ破砕装置３に供給するための生ゴミ供給ホッパー２が配設されている。脱水前生ゴミ破砕装置３の下方には計量装置４が配設されていて、計量装置４は生ゴミ供給ホッパー２に投入された生ゴミの重量を計量する。計量装置４で計量された生ゴミは計量装置４の下方に配設されている脱水剤添加装置５の内部に導入される。
【００１４】
脱水前生ゴミ破砕装置は生ゴミが入れられているビニール袋の破袋をおこなうように作られており、生ゴミそのものの破砕はあまりおこなわない。
脱水前生ゴミ破砕装置３の前方には、脱水剤を貯留する脱水剤ホッパー６が配設され、脱水剤ホッパー６の底部には脱水剤送給装置６ａが配設されている。脱水剤送給装置６ａは脱水剤ホッパー６内の脱水剤を脱水剤添加装置５の内部に向けて送り出すことができる。なお、脱水剤は脱水剤ホッパー６の頂部に設けられた脱水剤投入口６ｂから脱水剤ホッパー６内に導入され貯留される。
【００１５】
ここで、前記計量装置４で計量された生ゴミの重量は制御装置１０（図２参照）内のコンピュータ（図示せず）におくられ、コンピュータは計量された生ゴミの重量に対して最適な脱水剤の量を計算する。そして、この計算された量の脱水剤が脱水剤送給装置６ａによって脱水剤添加装置５に供給される。
【００１６】
脱水剤添加装置５は内部にリボンスクリュー５ａを備え、リボンスクリュー５ａは生ゴミと脱水剤を添加する。生ゴミは脱水剤が添加されることにより脱水され含水率が低下し、腐敗が防止される。
【００１７】
そして、この脱水された脱水後生ゴミは、リボンスクリュー５ａにより搬出装置７は搬出パイプ７ａへ送り出され、さらに、搬送装置７により脱水後生ゴミ破砕装置８に送給される。搬出パイプ７ａ内にはモータ７ｂで駆動される図示されない搬送スクリューが配設されている。
【００１８】
図４に脱水後生ゴミ破砕装置８の拡大図が示されており、図４に示されるように脱水後生ゴミ破砕装置８は、横置きされた円筒状のケーシング８ａ内で回転軸８ｂに取り付けられた複数の羽根を回転せしめるものである。ケーシング８ａの横方向の一方の端部に入口８ｃが形成され、搬出パイプ７ａはこの入口８ｃに接続されている。ケーシング８ａの下側半分にはスクリーン８ｄが形成されている。
【００１９】
回転軸８ｂの入口８ｃに近い部分、および、中間部分には板状羽８ｅが取り付けられている。この板状羽根８ｅは回転軸８ｂが回転すると入口８ｃから導入された脱水後生ゴミを反入口方向に送り出せるような角度がつけられている。一方、回転軸８ｂの入口８ｃに遠く、反入口側の端部に近い部分には、カッター羽根８ｆとハンマー羽根８ｇとが取り付けられている。
【００２０】
カッター羽根８ｆは脱水後生ゴミをカッターの刃面で切断して粉砕するものであるが、ハンマー羽根８ｇは脱水後生ゴミをケーシング８ａの内面に叩きつけて粉砕するものである。そのために、ハンマー羽根８ｇの設けられているケーシング８ａの上側部分の内面には凹凸８ｈが設けられている（図６参照）。なお、回転軸８ｂがモータ８ｉで駆動される。
【００２１】
脱水後破砕装置８で破砕された脱水後生ゴミはスクリーン８ｄを通過して、第２歯際装置８の下方に配設されている脱水後生ゴミホッパー９に導入される。脱水生後ゴミは均等に含水率が低くなっているので、破砕は良好におこなわれ減容率も向上する。
【００２２】
そして、脱水後生ゴミホッパー９が満杯になると、脱水後生ゴミは脱水後生ゴミホッパー９から排出され、例えば、土壌として再利用されるが、脱水されているので腐敗が防止され異臭の発生も防止される。脱水剤としては、例えば、フライアッシュ等の工場から排出される灰類や粘土類が使用される。
そして、脱水剤にさらに化学的に腐敗を防止する化学的腐敗防止剤を添加しておけば、化学的にも腐敗が防止されるので異臭の発生がより強力に防止される。化学的防止剤としては例えば消石灰が利用される。
【００２３】
【発明の効果】
請求項１から５に記載の発明は生ゴミの処理方法の発明であるが、生ゴミに脱水剤を添加して脱水する脱水剤添加ステップと、脱水された生ゴミを破砕する脱水後生ゴミ破砕ステップとを含んでいる。したがって、生ゴミが脱水されるので腐敗が防止され、また脱水後に破砕されるので破砕が良好におこなわれ減容率が向上し、作業効率が向上する。
特に、請求項２の発明のように、さらに、脱水剤を添加する前の生ゴミを破砕する脱水前生ゴミ破砕ステップと、脱水前生ゴミ破砕ステップで破砕した生ゴミの重量を計量する計量ステップと、を含み、脱水剤添加ステップでは、計量された生ゴミの重量に基づいて脱水剤を添加する、ようにすれば、最適な量の脱水剤が添加されるので効率のよい生ゴミ収集を安定して実行できる。
また、請求項３の発明のように、脱水剤が生ゴミを土化可能な汎用活性改良材を含むようにすれば、脱水剤が生ゴミを土化可能な汎用活性改良材を含むので、生ゴミを土に再生することができる。
また、請求項４の発明のように、移動手段で生ゴミを収集するために移動しながら実行すれば、移動しながら生ゴミが脱水されて、破砕されるので、生ゴミの収集を衛生的に、かつ、高効率におこなうことができる。
【００２４】
請求項５から８の発明は、生ゴミの処理装置の発明であるが、生ゴミに脱水剤を添加する脱水剤添加手段と、脱水された生ゴミを破砕する脱水後生ゴミ破砕手段とを具備している。したがって、生ゴミが脱水されるので腐敗が防止され、また脱水後に破砕されるので破砕が良好におこなわれ減容率がよいので効率のよい生ゴミ収集が実行できる。
特に、請求項６の発明のように、さらに、脱水剤を添加する前の生ゴミを破砕する脱水前生ゴミ破砕手段と、脱水前生ゴミ破砕手段で破砕した生ゴミの重量を計量する計量手段と、を含み、脱水剤添加手段は計量手段で計量された生ゴミの重量に基づいて脱水剤を添加すれば、適量の脱水剤が添加されるので効率のよい生ゴミ収集を安定して実行できる。
また、請求項８の発明のように、移動手段に搭載され移動可能とすれば、移動しながら脱水と破砕が実行できるので効率のよい生ゴミ収集を実行できる。
【図面の簡単な説明】
【図１】本発明による生ゴミ処理装置を備えた生ゴミ収集車の側面図である。
【図２】図１の生ゴミ収集車を後部の外観図である。
【図３】図１の生ゴミ収集車の後部を説明する図である。
【図４】脱水後生ゴミ破砕装置の断面図である。
【図５】図４のＶ−Ｖ線に沿って見た断面図である。
【図６】図４のＶＩ−ＶＩ線に沿って見た断面図である。
【符号の説明】
１…生ゴミ収集車
２…生ゴミ供給ホッパー
３…脱水前生ゴミ破砕装置
４…計量装置
５…混合装置
５ａ…リボンスクリュー
６…脱水剤ホッパー
６ａ…脱水剤送給装置
６ｂ…脱水剤投入口
７…搬送装置
８…脱水後生ゴミ破砕装置
８ａ…ケーシング
８ｂ…回転軸
８ｃ…入口
８ｄ…スクリーン
８ｅ…板状羽根
８ｆ…カッター羽根
８ｇ…ハンマー羽根
８ｈ…凹凸
８ｉ…モータ
９…脱水生ゴミホッパー
１０…制御装置
【図１】
2004267901.tif 000003
【図２】
2004267901.tif 000004
【図３】
2004267901.tif 000005
【図４】
2004267901.tif 000006
【図５】
2004267901.tif 000007
【図６】
2004267901.tif 000008